(57)【要約】      （修正有）【課題】味噌の取り出し、計量及び味噌溶きを連続して行うことができる簡易な構成の味噌溶き具を提供する。【解決手段】味噌溶き具は、味噌溶き外部１０と味噌溶き内部２０を有し、必要な量の味噌を得るために外部開口１３ａの目盛に合うまで底部２３を味噌に押しつけ味噌を味噌保持部２２に保持され、この保持された味噌が十字部材２３ｂを回転させることで切り取られる。次に味噌溶き具を湯が満たされた鍋に入れ、味噌溶き内部２０を回転させ、この回転により保持されている味噌が外部開口１３ａから鍋の湯に溶けだす。【選択図】図２
0003212419.tif 000002
【実用新案登録請求の範囲】
【請求項１】
筒状の味噌溶き外部と、前記味噌溶き外部の内側に収納されるように形成されている味噌溶き内部を有する味噌溶き具であって、
前記味噌溶き外部は、
上端部と、下端部と、前記上端部と前記下端部の間の外周部を有し、
前記上端部には複数の切り込みが設けられ、前記外周部には前記下端部から予め定められた位置に順に複数の外部開口と、前記上端部から予め定められた位置の内側に凸部が設けられ、
前記外部開口は、味噌を計量し、前記味噌を前記外周部の内側から外側に排出するように形成されており、
前記味噌溶き内部は、
蓋部と、前記蓋部に対して嵌め込み可能な味噌保持部と、前記味噌保持部と一体的に形成された底部を有し、
前記蓋部は、上面と下面と外周を有し、前記上面には手指で回転するように形成された窪みを有し、前記下面には前記味噌保持部が嵌め込まれるように形成された嵌め込み部を有し、前記外周には前記凸部と嵌合するように形成された凹部を有し、
前記味噌保持部は、複数の内部開口が設けられており、
前記底部はリング部材と前記リング部材の内部に設けられた前記回転に応じて味噌を切り取るための切り取り部材を有し、
前記味噌溶き外部に前記味噌溶き内部が収納され、前記凸部と前記凹部が嵌合した状態で、前記外部開口を用いて味噌を計量し、前記計量された味噌が、前記切り取り部材で切り取られ、前記味噌保持部で保持され、前記味噌保持部で保持された味噌を前記外部開口から排出するように構成されていることを特徴とする味噌溶き具。
【請求項２】
前記切り取り部材は、十字状に形成されている十字部材であり、前記十字状の交点に突起が設けられており、略９０度の前記回転で前記味噌を切り取るように構成されていることを特徴とする請求項１に記載の味噌溶き具。
【請求項３】
耐熱性を有するポリプロピレンを用いて形成されており、前記上端部の径は、前記下端部の径よりも大きくなるように形成されていることを特徴とする請求項１または請求項２に記載の味噌溶き具。
【考案の詳細な説明】
【技術分野】
【０００１】
本考案は、味噌溶き具に関する。
【背景技術】
【０００２】
従来、味噌が収納されている容器からこの味噌を取り出して湯中に溶かす調理具としての種々の味噌溶き具が存在しており、例えば、ストライプ又はネット状に集合した線材を外郭が中空瓶状になるように湾曲形成して片端に柄を連結し外郭を囲むように固定リングが設けられている味噌溶き具が開示されている（特許文献参照）。
【先行技術文献】
【特許文献】
【０００３】
【特許文献１】実用新案登録第３０２７９３０号公報
【考案の概要】
【考案が解決しようとする課題】
【０００４】
上記の従来の味噌溶き具は、取り出す味噌の量を目分量で行うことになり必要とする味噌の量を取り出すことができず、簡易な構成で味噌を計量しながら取り出して直ちに湯中などに溶き込むことができる味噌溶き具が求められていた。本考案は、こうした点に鑑みてなされたものであり、味噌の取り出し、計量及び味噌溶きを連続して行うことができる簡易な構成の味噌溶き具を提供するものである。
【課題を解決するための手段】
【０００５】
上記課題を解決するために、本考案に係る味噌溶き具は、筒状の味噌溶き外部と、前記味噌溶き外部の内側に収納されるように形成されている味噌溶き内部を有する味噌溶き具であって、前記味噌溶き外部は、上端部と、下端部と、前記上端部と前記下端部の間の外周部を有し、前記上端部には複数の切り込みが設けられ、前記外周部には前記下端部から予め定められた位置に順に複数の外部開口と、前記上端部から予め定められた位置の内側に凸部が設けられ、前記外部開口は、味噌を計量し、前記味噌を前記外周部の内側から外側に排出するように形成されており、前記味噌溶き内部は、蓋部と、前記蓋部に対して嵌め込み可能な味噌保持部と、前記味噌保持部と一体的に形成された底部を有し、前記蓋部は、上面と下面と外周を有し、前記上面には手指で回転するように形成された窪みを有し、前記下面には前記味噌保持部が嵌め込まれるように形成された嵌め込み部を有し、前記外周には前記凸部と嵌合するように形成された凹部を有し、前記味噌保持部は、複数の内部開口が設けられており、前記底部はリング部材と前記リング部材の内部に設けられた前記回転に応じて味噌を切り取るための切り取り部材を有し、前記味噌溶き外部に前記味噌溶き内部が収納され、前記凸部と前記凹部が嵌合した状態で、前記外部開口を用いて味噌を計量し、前記計量された味噌が、前記切り取り部材で切り取られ、前記味噌保持部で保持され、前記味噌保持部で保持された味噌を前記外部開口から排出するように構成されていることを特徴とする。
【０００６】
本考案に係る味噌溶き具の態様について、前記切り取り部材は、十字状に形成されている十字部材であり、前記十字状の交点に突起が設けられており、略９０度の前記回転で前記味噌を切り取るように構成されていることが好ましい。
【０００７】
本考案に係る味噌溶き具の態様について、耐熱性を有するポリプロピレンを用いて形成されており、前記上端部の径は、前記下端部の径よりも大きくなるように形成されていることが好ましい。
【考案の効果】
【０００８】
本考案によれば、味噌の取り出し、計量及び味噌溶きを連続して行うことができる簡易な構成の味噌溶き具を提供することができる。
【図面の簡単な説明】
【０００９】
【図１】実施形態の味噌溶き具の一例を示す模式図である。
【図２】実施形態の味噌溶き具の部分を示す模式図である。
【考案を実施するための形態】
【００１０】
以下、本考案の味噌溶き具の実施形態を、図１及び図２を用いて説明する。図１は味噌溶き外部１０の内部に味噌溶き内部２０が収容され味噌溶き具１として構成されていることを示す図であり、図２（ａ）は味噌溶き外部１０の構成を示す図であり、及び図２（ｂ）は味噌溶き内部２０の構成を示す図である。
【００１１】
図１に示すように実施形態の味噌溶き具１は、筒状の味噌溶き外部１０と、味噌溶き外部１０の内側に収納されるように形成されている味噌溶き内部２０を有しており、例えば耐熱性を有するポリプロピレンを用いて形成されている。
【００１２】
味噌溶き外部１０は、図２（ａ）に示すように、上端部１１と、下端部１２と、上端部１１と下端部１２の間に位置する外周部１３を有しており、例えば上端部１１の径は下端部１２の径よりも大きくなるように形成されている。
【００１３】
上端部１１には複数の切り込みが設けられており、この例においては対向する２つの切り込み１１ａが設けられている。この切り込み１１ａは、味噌溶き外部１０に収納された味噌溶き内部２０を、この味噌溶き外部１０から取り出すときに用いられるものであり、また味噌の計量にも用いられるものである。
【００１４】
外周部１３には下端部１２から予め定められた位置に順に複数の外部開口１３ａが設けられており、また上端部１１から予め定められた位置の内側に凸部１３ｂが設けられている。
【００１５】
複数の外部開口１３ａは、上記のとおり味噌を計量し、この味噌を外周部１３の内側から外側に排出するように形成されている。
【００１６】
この例においては、５つの外部開口１３ａが設けられており、下端部１２から準に１から５の数字が目盛として記載され、この数字と対応する味噌の量、例えば大さじ1から５の計量ができる構成となっている。なお、実施形態では下端部１２に外部開口１３ａと対応する切り込みが設けられている。
【００１７】
味噌溶き内部２０は、図２（ｂ）に示すように、蓋部２１と、蓋部２１と嵌め込み可能な味噌保持部２２と、味噌保持部２２と一体的に形成された底部２３を有している。
【００１８】
蓋部２１は、上面２１ａと下面２１ｂと外周２１ｃを有し、上面２１ａは、蓋部２１が手指で回転できるよう、つまり味噌溶き外部１０の内部に収納された味噌溶き内部２０をこの味噌溶き外部１０に対して手指で容易に回転できるように形成された窪み２１ａｋを有している。下面２１ｂは、味噌保持部２２が嵌め込まれるように形成された嵌め込み部２１ｂｈを有している。また外周２１ｃは、凸部１３ｂと嵌合するように形成された凹部２１ｃｏを有している。なお、窪み２１ａｋは一例でありこれに限定されず蓋部２１を回転する機能であればよく、例えば指で挟んで回転できるように把手を上面２１ａに設けてもよい。
【００１９】
味噌保持部２２は、複数の内部開口２２ａが設けられている。この例において、味噌保持部２２は、２つの支柱とこの支柱に挟まれたＭＩＳＯという文字の部材で形成されており、内部開口２２ａは、これらの支柱と文字の部材の間の開口である。また、味噌保持部２２は、嵌め込み部２１ｂｈに嵌め込まれるように形成されているが、これに限定されず蓋部２１と味噌保持部２２が一体的に形成されてもよい。なお、味噌保持部２２は、この構成に限定されず開口を有し味噌を保持する機能を有するものであればよい。
【００２０】
底部２３は、リング部材２３ａと、このリング部材２３ａの内部に設けられた回転に応じて味噌を切り取るための切り取り部材を有している。
【００２１】
この例においては、切り取り部材は十字状に形成された十字部材２３ｂであり、この十字部材２３ｂは、略９０度の回転で前記味噌が切り取られるように構成されている。また、十字部材２３ｂの十字状の交点に突起２３ｂｔが設けられており上記の回転を安定させるためのものである。なお、十字部材２３ｂは一例であり、底部２３で味噌を切り取れる構成であればよい。
【００２２】
ここで味噌溶き具１の使用の一例について説明する。凸部１３ｂと凹部２１ｃｏが嵌合し味噌溶き外部１０に味噌溶き内部２０が収納されている状態において、例えば容器に収納されている味噌から必要な量の味噌を得るために、外部開口１３ａの目盛に合うまで底部２３を味噌に押しつけ、味噌保持部２２に味噌を保持する。
【００２３】
次に、窪み２１ａｋに指を添えて味噌溶き内部２０を回転させることで十字部材２３ｂを回転させ、味噌保持部２２に保持されている味噌を９０度以上の回転で切り取る。
【００２４】
次に、味噌溶き具１を、例えば湯が満たされた鍋に入れて、再び窪み２１ａｋに指を添えて味噌溶き内部２２を回転させることで味噌保持部２２を回転させる。このとき切り込み１１ａに指を入れ外周２１ｃを挟み込むようにしてこの回転の初動を行ってもよい。なお、味噌溶き内部２０を一方の手で回転させるときには、味噌溶き外部１０を他方の手で固定させるとよい。
【００２５】
この回転により、味噌保持部２２に保持されている味噌は、外部開口１３ａから排出され鍋に溶けだしていく。また、この回転にともない内部開口２２に、この例ではＭＩＳＯというロゴの間の開口に、湯が通過することで味噌の溶けだしが効果的となっている。また、突起２３ｂｔは、鍋と接することで点支持となり、回転の抵抗を少なくし湯の通過を効果的にすることができる。
【００２６】
このように味噌溶き具１は、大さじ１から５杯分の味噌を計量しながら一度に取ることができ、そのまま鍋の中で蓋部２１をくるくる回すことで、味噌が溶け出すという簡易な構造である。すなわち、味噌溶き具１は、簡易な構成で、味噌の取り出し、計量及び味噌溶きを、これ１本で連続して行い完結できるという顕著な効果を有している。
【００２７】
また、切り込み１１ａを介して蓋部２１を挟み込むことができ、味噌溶き内部２０を味噌溶き外部１０から容易に取りだすことができ、また蓋部２１が味噌保持部２２から容易に取り外すことができることも加え、手入れを簡単に行うことができる構成となっている。また素材が耐熱性の高いポリプロピレンであり食洗機で洗浄することができる。
【００２８】
以上、本考案の有する特徴及び優れた点を上記実施形態に記載したが、本考案は、本願の実用新案登録請求の範囲で使用されている言葉を広く一般的な意味に拡張して実施することができる。
【００２９】
また、本考案の味噌溶き具は、大きさや形状、素材の種類、厚さ、重さなどについては多様な実施形態が可能であり、それらについて本実施形態と異なる形態による実施は、本考案の技術的範囲に含まれる。
【符号の説明】
【００３０】
１      味噌溶き具
１０    味噌溶き外部
１１    上端部
１１ａ  切り込み
１２    下端部
１３    外周部
１３ａ  外部開口
１３ｂ  凸部
２０      味噌溶き内部
２１      蓋部
２１ａ    上面
２１ａｋ  窪み
２１ｂ    下面
２１ｂｈ  嵌め込み部
２１ｃ    外周
２１ｃｏ  凹部
２２      味噌保持部
２２ａ    内部開口
２３      底部
２３ａ    リング部材
２３ｂ    十字部材
２３ｂｔ  突起
【図１】
0003212419.tif 000003
【図２】
0003212419.tif 000004